(57)【要約】【課題】本発明は、石造構造物の矯正工法に関し、建物などの周囲に悪影響を与えることなく、簡易に且つ簡便に矯正できる工法を提供することが課題である。【解決手段】石造構造物の一部を矯正する工法において、剛材を格子状に組んだ反力組立枠台１を形成し、この反力組立枠台を、矯正対象の石造の壁２ａに対して所要の間隙を置いて平行にして構造物２の外部に立設するとともに、前記矯正対象の石造の壁２ａと平行な壁３に対して構造物の外側から当接させて反力組立枠台１ａを立設させ、前記両方の反力組立枠台１，１ａ同士をその端部にて横架した反力伝達部材４で連結し、前記矯正対象の石造の壁２ａとその壁に間隙を置いて立設した前記反力組立枠台１との間にジャッキ５を設置し、前記ジャッキ５を伸長させて前記反力組立枠台１に反力を取りながら前記石造構造物２の一部を所望の位置に復帰させて矯正することとする石造構造物の矯正工法である。【選択図】図１
2008280697.tif 000002
【特許請求の範囲】
【請求項１】
石造構造物の一部を矯正する工法において、
剛材を格子状に組んだ反力組立枠台を形成し、
この反力組立枠台を、矯正対象の石造の壁に対して所要の間隙を置いて平行にして構造物の外部に立設するとともに、前記矯正対象の石造の壁と平行な壁に対して構造物の外側から当接させて立設させ、
前記両方の反力組立枠台同士をその端部にて横架した反力伝達部材で連結し、
前記矯正対象の石造の壁とその壁に間隙を置いて立設した前記反力組立枠台との間にジャッキを設置し、
前記ジャッキを伸長させて前記反力組立枠台に反力を取りながら前記石造構造物の一部を所望の位置に復帰させて矯正すること、
を特徴とする石造構造物の矯正工法。
【請求項２】
石造構造物の一部を矯正する工法において、
剛材を格子状に組んだ反力組立枠台を形成し、
この反力組立枠台を、矯正対象の石造の基礎構造物に対して所要の間隙を置いて平行にして構造物の外部に立設し、
前記矯正対象の石造の基礎構造物の内側壁面に受け部材を固着し、
前記反力組立枠台と前記受け部材とを前記基礎構造物に貫通させた反力伝達部材で連結し、
前記矯正対象の石造の壁とその壁に間隙を置いて立設した前記反力組立枠台との間にジャッキを設置し、
前記ジャッキを伸長させて前記反力組立枠台に反力を取りながら前記石造構造物の一部を所望の位置に復帰させて矯正すること、
を特徴とする石造構造物の矯正工法。
【請求項３】
石垣の一部を矯正する工法において、
剛材を格子状に組んだ反力組立枠台を形成し、
この反力組立枠台を、矯正対象の石垣に対して所要の間隙を置いて平行にして立設するとともに、前記反力組立枠台から前記石垣の目地に貫通させてアースアンカーを設置し、
前記矯正対象の石垣と間隙を置いて立設した前記反力組立枠台との間にジャッキを設置し、
前記ジャッキを伸長させて前記アースアンカーに支持された反力組立枠台に反力を取りながら前記石造構造物の一部を所望の位置に復帰させて矯正すること、
を特徴とする石造構造物の矯正工法。
【請求項４】
石垣の一部を矯正する工法において、
剛材を格子状に組んだ反力組立枠台を形成して、
この反力組立枠台を、矯正対象の石垣に対して所要の間隙を置いて平行に立設するとともに、前記矯正対象の石垣と平行な石垣に対して当接させて反力組立枠台を立設させ、
前記両方の反力組立枠台同士をこれらに横架させた反力伝達部材で連結し、
前記矯正対象の石垣と該石垣との間に間隙を置いて立設した前記反力組立枠台との間にジャッキを設置し、
前記ジャッキを伸長させて前記反力組立枠台に反力を取りながら前記石垣の一部を所望の位置に復帰させて矯正すること、
を特徴とする石造構造物の矯正工法。
【発明の詳細な説明】
【技術分野】
【０００１】
本発明は、例えば、石積みの建物や基礎、石垣等の石造構造物において、経年変化による傾き、膨れ、変形などが在った場合に、それを石造構造物の周囲に悪影響を与えないで修正若しくは矯正する矯正工法に関するものである。
【背景技術】
【０００２】
従来、軟弱地盤上に構築された石積みの建物や基礎、石垣が経年変化によって次第に傾いたり、崩れたり、その一部分が変形する等の現象が出ることがある。また、隣接するビル工事現場の水汲みや地盤の崩壊によっても、上記のような現象が多く見られる。
そこで、このような傾き等を修正する時、沈下した石積みの建物の場合は、その建物を一度移動させて、今までの石積み基礎を一旦、バラして組み直し、新しい基礎を作成して、元の位置に建物を戻す工法が知られている。
【０００３】
また、石積みの建物の一部分が変形した場合などでは、その建物を強固に補強して、一部を壊し原型に復旧する工法が取られている。更に、石垣の場合には、裏側を掘ってその石垣の石を１個，1個取り外し、番号を付けて保管し、再構築している
このほか、公知文献として特許文献１のように、ブレース付きの鉄骨骨組の建物において、ブレームを構成する柱の断面を細分化したことで、残留変形矯正可能な建物が知られているが、石積みの建物に関するものは見当たらない。
【特許文献１】特開平０５−２７２２５７号公報
【発明の開示】
【発明が解決しようとする課題】
【０００４】
しかし、従来の矯正工法では、例えば、上記の建物を一旦移動させる工法では、建物が損傷することがあり、使用する上で設備関係や日常の出入りに課題があるとともに、費用も多大なものとなる。また、一部を壊して原型に復旧させる工法では、新しい補修場所が出て、外観上問題となりやすい。更に、石垣を再構築するには、費用が多大となり、工事が大規模で工事期間も長くなるという課題がある。本発明に係る石造構造物の矯正工法は、このような課題を解決するために提案されたものである。
【課題を解決するための手段】
【０００５】
本発明に係る石造構造物の矯正工法の上記課題を解決して目的を達成するための要旨は、石造構造物の一部を矯正する工法において、剛材を格子状に組んだ反力組立枠台を形成し、この反力組立枠台を、矯正対象の石造の壁に対して所要の間隙を置いて平行にして構造物の外部に立設するとともに、前記矯正対象の石造の壁と平行な壁に対して構造物の外側から当接させて立設させ、前記両方の反力組立枠台同士をその端部にて横架した反力伝達部材で連結し、前記矯正対象の石造の壁とその壁に間隙を置いて立設した前記反力組立枠台との間にジャッキを設置し、前記ジャッキを伸長させて前記反力組立枠台に反力を取りながら前記石造構造物の一部を所望の位置に復帰させて矯正することである。
【０００６】
同じく、本発明に係る石造構造物の矯正工法の上記課題を解決して目的を達成するための要旨は、石造構造物の一部を矯正する工法において、剛材を格子状に組んだ反力組立枠台を形成し、この反力組立枠台を、矯正対象の石造の基礎構造物に対して所要の間隙を置いて平行にして構造物の外部に立設し、前記矯正対象の石造の基礎構造物の内側壁面に受け部材を固着し、前記反力組立枠台と前記受け部材とを前記基礎構造物に貫通させた反力伝達部材で連結し、前記矯正対象の石造の壁とその壁に間隙を置いて立設した前記反力組立枠台との間にジャッキを設置し、前記ジャッキを伸長させて前記反力組立枠台に反力を取りながら前記石造構造物の一部を所望の位置に復帰させて矯正することである。
【０００７】
更に、本発明に係る石造構造物の矯正工法の上記課題を解決して目的を達成するための要旨は、石垣の一部を矯正する工法において、剛材を格子状に組んだ反力組立枠台を形成し、この反力組立枠台を、矯正対象の石垣に対して所要の間隙を置いて平行にして立設するとともに、前記反力組立枠台から前記石垣の目地に貫通させてアースアンカーを設置し、前記矯正対象の石垣と間隙を置いて立設した前記反力組立枠台との間にジャッキを設置し、前記ジャッキを伸長させて前記アースアンカーに支持された反力組立枠台に反力を取りながら前記石造構造物の一部を所望の位置に復帰させて矯正することである。
【０００８】
また、本発明に係る石造構造物の矯正工法の上記課題を解決して目的を達成するための要旨は、石垣の一部を矯正する工法において、剛材を格子状に組んだ反力組立枠台を形成して、この反力組立枠台を、矯正対象の石垣に対して所要の間隙を置いて平行に立設するとともに、前記矯正対象の石垣と平行な石垣に対して当接させて反力組立枠台を立設させ、これらに横架させた反力伝達部材で連結し、前記矯正対象の石垣と該石垣との間に間隙を置いて立設した前記反力組立枠台との間にジャッキを設置し、前記ジャッキを伸長させて前記反力組立枠台に反力を取りながら前記石垣の一部を所望の位置に復帰させて矯正することである。
【発明の効果】
【０００９】
本発明の石造構造物の矯正工法によれば、地盤や建物周囲の環境を損なうことなく、安価で迅速に矯正工事ができる。そして、二次損傷災害の防止と品質確保が可能となって復元工法が極めて容易になる。
前記反力組立枠台及び施工機も比較的小さく、軽量で狭い場所に人力で移動することができ、運搬が可能であって簡単に設置することができる。
【発明を実施するための最良の形態】
【００１０】
本発明に係る石造構造物の矯正工法は、図１（Ａ），（Ｂ）に示す第１実施例のように、まず、剛材である横梁８や竪材９を格子状に組んだ反力組立枠台１を形成する。この反力組立枠台１を、矯正対象の石造構造物２の壁２ａに対して所要の間隙ａを置いて平行にして構造物２の外部に立設するとともに、前記矯正対象の壁２ａと平行な壁３に対して構造物２の外側から当接させて反力組立枠台１ａを立設させる。要は、構造物２の軒側に前記反力組立枠台１，１ａをそれぞれ配置するものである。
【００１１】
前記両方の反力組立枠台１，１ａ同士をその端部にて横架した反力伝達部材４で連結する。即ち、構造物２の妻側で剛性な鋼材などによる反力伝達部材４，４で前記反力組立枠台１，１ａを連結することで、構造物２の周囲を囲うようにする。これにより、石造構造物１の外周囲に、反力組立枠台１，１ａが組み立てられる。なお、前記反力組立枠台１，１ａと反力伝達部材４，４とで、上から見ると略矩形状の反力台６が出来上がるものである。
【００１２】
そして、前記矯正対象の石造の壁２ａとその壁２ａに間隙ａを置いて立設した前記反力組立枠台１との間にジャッキ５を図示のように設置する。前記ジャッキ５におけるロッドを伸長させて前記反力組立枠台１に反力を取りながら、前記石造構造物２の一部である、矯正対象の修正石７を所望の位置に復帰させて矯正する。この修正石７などを修正する方向は、前後左右は勿論、上下方向も可能である。
【００１３】
次に、図２（Ａ），（Ｂ）に示す第２実施例は、石造構造物の一部を矯正する工法を説明する。まず、剛材である横梁８や竪材９を格子状に組んだ反力組立枠台１を形成し、この反力組立枠台１を、矯正対象の石造の基礎構造物１０に対して所要の間隙ｂを置いて平行にして基礎構造物１０の外部に立設し、前記矯正対象の石造の基礎構造物１０の内側壁面に受け部材１１を固着する。
【００１４】
前記反力組立枠台１と前記受け部材１１とを、前記基礎構造物１０の例えば、目地に置いて、貫通させた反力伝達部材４ａで連結する。前記矯正対象の石造の壁とその壁に間隙ｂを置いて立設した前記反力組立枠台１との間にジャッキ５を設置し、前記ジャッキ５のロッドを伸長させて、前記反力組立枠台１に反力を取りながら前記石造構造物１０の一部である修正石７ａを所望の位置に復帰させて矯正するものである。この方法によれば、構造物の全周囲に亘って反力組立枠台１などを組み立てる必要がなく、コンパクトな構造で、矯正作業が可能となる。
【００１５】
次に、図３に示す第３実施例のように、石垣の一部を矯正する工法において、前期実施例と同様にして剛材を格子状に組んだ反力組立枠台１を形成し、この反力組立枠台１を、矯正対象の石垣１２に対して所要の間隙ｃを置いて平行にして立設するとともに、前記反力組立枠台１から前記石垣１２の目地に貫通させてアースアンカー１３を設置する。
【００１６】
前記矯正対象の石垣１２と間隙ｃを置いて立設した前記反力組立枠台１との間にジャッキ５を設置し、前記ジャッキ５のロッドを伸長させて、前記アースアンカー１３に支持された前期反力組立枠台１に反力を取りながら、前記石造構造物１２の一部の、修正石１２ａを所望の位置に復帰させて矯正するものである。このように、片側のみに石垣１２が在る場合に、地盤のアースアンカー１３の支持力により反力組立枠台１を反力台として使用できるようにするものである。
【００１７】
また、第４実施例として、図３に示すように、石垣１２の一部を矯正する工法において、前期実施例と同様にして、剛材を格子状に組んだ反力組立枠台１を形成して、この反力組立枠台１を、矯正対象の石垣１２に対して所要の間隙ｃを置いて平行に立設するとともに、前記矯正対象の石垣１２と平行な他方の石垣１４に対して当接させて反力組立枠台１ｂを立設させ、前記両方の反力組立枠台１，１ｂに反力伝達部材４ｂを横架させて、これらを連結する。
【００１８】
そして、前記矯正対象の石垣１２と該石垣１２との間に間隙ｃを置いて立設した前記反力組立枠台１との間にジャッキ５を設置し、前記ジャッキ５のロッドを伸長させて前記反力組立枠台１ｂに反力を取りながら前記石垣１２の一部の修正石１２ａを所望の位置に復帰させて矯正するものである。このように、両側に石垣１２，１４が在る場合には、反力組立枠台１，１ｂを反力伝達部材４ｂにより、全体を上から見て矩形状の箱体にして反力を得るようにすることができる。前記台３実施例のアースアンカー１３を地盤に埋設するよりも工期的に短縮され作業も容易となる。
【図面の簡単な説明】
【００１９】
【図１】本発明に係る石造構造物の矯正工法の第１実施例を示す説明図（Ａ）とその一部拡大説明図（Ｂ）とである。
【図２】同本発明の石造構造物の矯正工法の第２実施例に係る説明図（Ａ），（Ｂ）である。
【図３】同本発明の第３実施例と第４実施例とを説明する説明図である。
【符号の説明】
【００２０】
１，１ａ，１ｂ            反力組立枠台、
２          石造構造物、                    ２ａ        壁、
３          壁、
４，４ａ，４ｂ            反力伝達部材、
５          ジャッキ、
６          反力台、
７，７ａ    修正石、 
８          横梁、
９          竪材、
１０        基礎構造物、
１１        受け部材、
１２        石垣、
１３        アースアンカー、
１４        他方の石垣。
【図１】
2008280697.tif 000003
【図２】
2008280697.tif 000004
【図３】
2008280697.tif 000005